(57)【要約】      （修正有）【課題】従来よりも手軽な方法で、管楽器中の空気流路を整流して音質や吹き心地を向上させる管楽器のアダプターを提供する。【解決手段】演奏者によって吹き込まれた管楽器内の空気流路を囲むように前記管楽器に装着される管楽器アダプター１であり、管楽器に装着されたときに空気流路側に突出する複数個の突出部１２ａ〜１２ｌを備え、複数個の突出部の各々には、突出部の高さよりも小さい調音溝が複数個形成されている。【選択図】図２
0003188272.tif 000002
【実用新案登録請求の範囲】
【請求項１】
演奏者によって吹き込まれた管楽器内の空気流路を囲むように前記管楽器に装着される管楽器アダプターであって、
本体（１ａ、２ａ）と、
前記管楽器に装着されたときに前記空気流路側に突出する複数個の突出部（１２ａ〜１２ｌ、２２ａ〜２２ｉ）と、を備えた管楽器アダプター。
【請求項２】
前記複数個の突出部（１２ａ〜１２ｌ、２２ａ〜２２ｉ）の各々には、調音溝（１３、２３）が複数個形成されていることを特徴とする請求項１に記載の管楽器アダプター。
【請求項３】
前記調音溝（１３、２３）は、前記空気流路中で空気が流れる方向に伸びる溝であることを特徴とする請求項２に記載の管楽器アダプター。
【請求項４】
前記調音溝（１３、２３）の深さは、前記突出部の高さよりも大きいことを特徴とする請求項２または３に記載の管楽器アダプター。
【請求項５】
前記本体（１ａ、２ａ）は、弧形状であることを特徴とする請求項１ないし４のいずれか１つに記載の管楽器アダプター。
【考案の詳細な説明】
【技術分野】
【０００１】
本考案は、管楽器のアダプターに関するものである。
【背景技術】
【０００２】
特許文献１には、金管楽器のマウスピースにおいて、吹込路の路面に沿って整流溝を１本形成することで、音の抜けと音色を改善して音質を向上させる技術が開示されている。また、特許文献２には、木管楽器または金管楽器において、空気流路を形成する部品に、長手方向に沿った溝を複数本形成する技術が開示されている。この特許文献２の技術によれば、空気流路を形成する部品の接続部分に段差があったとしても、空気流の乱れを抑制することができ、吹奏音の音質低下や吹き心地の低下を抑えることができる。
【先行技術文献】
【特許文献】
【０００３】
【特許文献１】実用新案登録第３１０５２３０号公報
【特許文献２】特開２０１２−１１８３８６号公報
【考案の概要】
【考案が解決しようとする課題】
【０００４】
しかし、上記のような技術では、楽器本体に直接溝を形成することになる。しかし、演奏者にしてみれば、楽器本体を加工して溝を形成するのには抵抗感がある。なぜなら、楽器本体に一端溝を形成してしまえば、音や吹き心地が自分の好みに合うように改善されなかったとしても、もはや元に戻すのは困難だからである。
【０００５】
本発明は上記点に鑑み、従来よりも手軽な方法で、管楽器中の空気流路を整流して音質や吹き心地を向上させる技術を提供することを目的とする。
【課題を解決するための手段】
【０００６】
上記目的を達成するための本考案は、演奏者によって吹き込まれた管楽器内の空気流路を囲むように前記管楽器に装着される管楽器アダプターであって、前記管楽器に装着されたときに前記空気流路側に突出する複数個の突出部（１２ａ〜１２ｆ、２２ａ〜２２ｉ、３２ａ〜３２ｘ）を備え、前記突出部の各々には、調音溝（１３、２３、３３）が複数個形成されていることを特徴とする管楽器アダプターである。
【０００７】
このように、本発明に係る管楽器アダプターは、管楽器に装着されるタイプなので、装着は気軽に行える。音が気に入らなかったら単に取り除けばよいからである。
【０００８】
なお、上記および特許請求の範囲における括弧内の符号は、特許請求の範囲に記載された用語と後述の実施形態に記載される当該用語を例示する具体物等との対応関係を示すものである。
【図面の簡単な説明】
【０００９】
【図１】本考案の第１実施形態に係る管楽器アダプター１の正面図である。
【図２】管楽器アダプター１の斜視図である。
【図３】図１のＸ部分の拡大斜視図である。
【図４】管楽器アダプター１をクラリネットのバレル５内に装着する方法を表す分解斜視図である。
【図５】管楽器アダプター１をバレル５に装着したときの、管楽器アダプター１、バレル５、および上管６の断面図である。
【図６】バレル５内に管楽器アダプター１が装着された状態でバレル５を上管６側から見たときの図である。
【図７】バレル５内に管楽器アダプター１が装着された状態でバレル５をマウスピース側から見たときの図である。
【図８】上管６をバレル５に装着したときの、管楽器アダプター１、バレル５、および上管６の断面図である。
【図９】本発明の第２実施形態に係る管楽器アダプター２の斜視図である。
【図１０】管楽器アダプター２の正面図である。
【図１１】図１０のＹ部分の拡大斜視図である。
【図１２】図１０のＸＩＩ−ＸＩＩ断面図である。
【図１３】図１２のＸＩＩＩ−ＸＩＩＩ断面図である。
【図１４】管楽器アダプター２をサクソフォーンの吹込管７内に装着する方法を表す分解斜視図である。
【図１５】管楽器アダプター２をホルンのチューニング管８内に装着する方法を表す分解斜視図である。
【図１６】管楽器アダプター２をフルートの主管９内に装着する方法を表す分解斜視図である。
【考案を実施するための形態】
【００１０】
（第１実施形態）
以下、本考案の第１実施形態について説明する。図１〜図３に示すように、本実施形態の管楽器アダプター１は、本体１ａと、複数の突出部１２ａ〜１２ｌとを有している。本体１ａと１２ａ〜１２ｌは、一体に形成されており、合成樹脂（プラスチック、より詳しくは、デルリン（登録商標）やジュラコン（登録商標）等のポリオキシメチレン）製となっている。
【００１１】
本体１ａは、一様の厚さＤ（図３参照。例えば０．５ｍｍ。）かつ幅Ｗ１（図１参照。例えば５ｍｍ）の平板であり、長手方向に円弧形状で伸びている。また、本体１ａの長手方向の両端部１４、１５は、互いに近接して対向している。
【００１２】
この管楽器アダプター１は、後述するように、管楽器（具体的にはクラリネット）内に装着され、管楽器内の空気流路（演奏者によって管楽器内に吹き込まれた空気が管楽器中で流れる流路）を囲むように配置されることで、後述するように、音の抜けが良くなることによって演奏者の吹き心地が向上し、さらに、管楽器の音質が向上する。
【００１３】
そのための構成として、この管楽器アダプター１の内周面において、上記した複数の突出部１２ａ〜１２ｌが、上記円弧の内側（より具体的には、上記円弧の中心方向）に向かって、本体１ａから突出するよう、形成されている。これら突出部１２ａ〜１２ｌは、管楽器アダプター１の内周面において、等間隔で形成されている。なお、各突出部１２ａ〜１２ｌの突出形状は、図１に示すように、互いに同じであってもよいし、互いに異なっていてもよい。
【００１４】
吹き心地および音質の向上のための構成として、更に、管楽器アダプター１の内周面に、多数本の調音溝が形成されている。図３は、図２のＸ部分を拡大した斜視図であるが、複数の溝１３の各々が上記調音溝に該当する。これら調音溝１３は、Ｘ部分のみならず、Ｘ部分以外の管楽器アダプター１の内周面の全域に渡って万遍なく、突出部１２ａ〜１２ｌの内周面にも、突出部１２ａ〜１２ｌ以外の内周面（本体１ａの内周面）にも、形成されている。これら調音溝１３の各々が伸びる方向は、図３に示すように、管楽器アダプター１の板面に直交する方向（図１の紙面奥行き方向）である。
【００１５】
各調音溝１３は、溝の深さは突出部１２ａ〜１２ｌの本体１ａからの突出高さＷ２−Ｗ１よりも遙かに小さく、溝の幅も突出部の幅よりも遙かに小さい。例えば、管楽器アダプター１の外径Ｒ１を２．５ｃｍとし、内径Ｒ２＝Ｒ１−２×Ｗ１（突出部１２ａ〜１２ｌでない部分の内径）を１．９ｃｍとし、厚さＤ（図３参照）を０．０５ｍｍとし、各突出部１２ａ〜１２ｌの突出高さＷ２−Ｗ１の平均値（またはいずれか１つの代表値）および幅Ｐの平均値（またはいずれか１つの代表値）をそれぞれ５ｍｍとした場合、各調音溝１３の深さおよび幅を、例えば０．０５ｍｍ以下とする。この例では、各調音溝１３の深さも幅も、各突出部１２ａ〜１２ｌの平均（またはいずれか１つの代表値）の１／１０以下となるが、１／５以下であってもよいし、１／２０以下であってもよいし、１／１００以下であってもよい。
【００１６】
また、調音溝１３の総本数は、突出部１２ａ〜１２ｌの本数よりも遙かに多く、例えば、上記のサイズと整合する範囲内で、５倍以上であってもよいし、１０倍以上であってもよいし、２０倍以上であってもよいし、１００倍以上であってもよい。
【００１７】
また、これら調音溝１３は、突出部１２ａ〜１２ｌの各々の全域に渡って形成されていると共に、隣り合う突出部の間の各々の全域に渡って形成されている。しかし、他の例として、突出部１２ａ〜１２ｌの各々にのみ形成されて、突出部１２ａ〜１２ｌ以外（本体１ａ）には形成されないようになっていてもよい。
【００１８】
このような調音溝１３の存在により、管楽器アダプター１の内周面の突出部１２ａ〜１２ｌ等は、細かいギザギザを有する形状となっている。
【００１９】
ここで、突出部１２ａ〜１２ｌおよび調音溝１３の各々は、ヤスリを用いて管楽器アダプター１の内周面を削ることで形成してもよい。その場合、比較的目が粗いヤスリを用いて突出部１２ａ〜１２ｌを形成し、その後に、比較的目が細かいヤスリを用いて調音溝１１ａ〜１１ｅを形成する。あるいは、突出部１２ａ〜１２ｌについては、管楽器アダプター１の内周面を、突出部１２ａ〜１２ｌの外形形状の穴を開ける穴開けパンチを用いて切り欠くことで、形成してもよい。
【００２０】
このような形成方法だと、突出部１２ａ〜１２ｌおよび調音溝１３には細かいバリ（または毛羽立ち）が残る場合があるが、細かいバリが残る量が多い方が、本実施形態の後述する効果がより高まる。このことから、突出部１２ａ〜１２ｌおよび調音溝１３の形状がより複雑なほどより高い効果（吹き心地の向上、音質向上）を得られることがわかる。
【００２１】
次に、この管楽器アダプター１をクラリネットに装着する方法について、図４〜図８を参照して説明する。図４に示すように、クラリネットのバレル（タル）５と上管６を繋ぐ前に、バレル５と上管６の間に管楽器アダプター１を介在させ、バレル５内に管楽器アダプター１を挿入する。そしてその後、バレル５内に上管６の先端部を挿入する。
【００２２】
図５に示すように、中心線Ｃを中心とした回転体の形状を有するバレル５内には、貫通穴５１、マウスピース挿入穴５２、上管挿入穴５３が空けられている。マウスピース挿入穴５２は、マウスピース（図示せず）の端部が挿入される穴であり、上管挿入穴５３は、上管６の端部が挿入される穴であり、貫通穴５１（空気流路の一例に相当する）は、マウスピース挿入穴５２と上管挿入穴５３を連通させる穴である。
【００２３】
これら穴５１〜５３の断面形状は、中心線Ｃに垂直な任意の断面において、中心線Ｃを中心とした同軸の円形となる。また、貫通穴５１の穴径は、マウスピース挿入穴５２の穴径よりも上管挿入穴５３の穴径よりも小さい。したがって、貫通穴５１とマウスピース挿入穴５２の接続部分および貫通穴５１と上管挿入穴５３の接続部分には、段差部５４、５５が形成されている。
【００２４】
管楽器アダプター１は、貫通穴５１と上管挿入穴５３の接続部分における段差５５に当接するまで、上管挿入穴５３と同軸に、バレル５に挿入される。なお、管楽器アダプター１の径Ｒ１（図１参照）は、上管挿入穴５３の穴径よりも少し大きく作られている。そこで、管楽器アダプター１を上管挿入穴５３に挿入する際には、作業者は、両端部１４、１５の間隙を狭くするよう、管楽器アダプター１を変形させる。したがって、管楽器アダプター１が段差５５に当接した状態においては、図６に示すように、両端部１４、１５間の間隙が無くなるかまたは狭くなる。したがって、管楽器アダプター１が元の形状に戻ろうとする復元力により、管楽器アダプター１の外周面がバレル５の内壁面（より具体的には、上管挿入穴５３を囲む内壁面）を押圧する状態となる。この押圧力により、バレル５内で管楽器アダプター１が固定されるので、このクラリネットの演奏時に、バレル５内で管楽器アダプター１の位置が小刻みに変動して音質が不安定になってしまう可能性が低減される。
【００２５】
なお、管楽器アダプター１の本体１ａの幅Ｗ１（図１参照）は、段差部分５５の幅Ｓ（図５参照）と同じか、あるいは幅Ｓよりも少し小さい。しかし、本体１ａの外周から各突出部１２ａ〜１２ｌの最も突出した部分までの幅（例えば図１の幅Ｗ２）は、図５に示すように、上記幅Ｓよりも大きい。例えば、幅Ｗ２は幅Ｓの１．１倍である。
【００２６】
したがって、図７に示すように、マウスピース挿入穴５２側からバレル５を見た場合、貫通穴５１の向こう側に突出部１２ａ〜１２ｌが見える。これら貫通穴５１越しに見える部分（突出部１２ａ〜１２ｌの各々の一部）の全域に、調音溝１３が形成されているのが見える。
【００２７】
また、上管６内に空けられた中心線Ｃを中心とする円柱形の穴（空気流路の一部に相当する）も、穴径は貫通穴５１の穴径とほぼ同じである。したがって、図８に示すように、上管６をバレル５の上管挿入穴５３に挿入し、管楽器アダプター１がバレル２と上管６に挟まれた状態において、管楽器アダプター１の突出部１２ａ〜１２ｌは、バレル５の内壁に対しても、上管６の内壁に対しても、中心線Ｃに向けて、つまり空気流路側に、突出する。また、調音溝１３の各々が伸びる方向は、空気流路中で空気が流れる方向に平行となる。
【００２８】
以下、このように管楽器アダプター１が装着されたクラリネットを演奏する際の作用について説明する。クラリネットの演奏者によってマウスピースから吹き込まれた空気は、バレル５の貫通穴５１（空気流路）から、管楽器アダプター１の内周面によって囲まれる空間（以下、単に管楽器アダプター１の内側という）を通り、更に上管６に空けられた空気流路を通る。
【００２９】
管楽器アダプター１の内側を空気が通るとき、突出部１２ａ〜１２ｌによって空気が整流されるので、空気流路内で乱流の発生が抑制される。その結果、マウスピースから入った音の抜けが良くなることによって演奏者の吹き心地が向上し、さらに、管楽器の音質が向上する。
【００３０】
また、突出部１２ａ〜１２ｌに加え、調音溝１３が多数形成されていることで、マウスピースから入った音の抜けが良くなるという効果、および、管楽器の音質が向上するという効果が、更に増す。
【００３１】
また、本実施形態では、バレル５、上管６といった楽器本体に直接溝を形成するのではなく、突出部１２ａ〜１２ｌが形成された管楽器アダプター１を楽器本体に装着している。このことは、種々の有利な効果をもたらす。
【００３２】
演奏者にしてみれば、楽器本体を加工して溝を形成するのには抵抗感がある。なぜなら、楽器本体に一端溝を形成してしまえば、音が自分の好みに合うように改善されなかったとしても、もはや元に戻すのは困難だからである。これに対し、本実施形態の管楽器アダプター１の装着は気軽に行える。音が気に入らなかったら単に取り除けばよいからである。
【００３３】
また、管楽器アダプター１に突出部１２ａ〜１２ｌや調音溝１３を形成するための加工コストは、楽器本体の空気流路の内壁に上記のような突出部や調音溝を形成するための加工コストに比べ、遙かに小さいと考えられる。
【００３４】
また、使用する管楽器アダプター１として、厚さ、材質、突出部の本数、位置、形状、調音溝の本数、位置、形状等の組み合わせが異なる種々の管楽器アダプターを用意しておき、それら種々の管楽器アダプターを１個ずつ装着して試し演奏することで、自分の好みに最も合った管楽器アダプターを選択することができる。また、何らかの理由で別の音質に切り替えたいと思えば、現在の管楽器アダプターを別の組み合わせの管楽器アダプターに取り替えればよい。
【００３５】
（第２実施形態）
次に、本発明の第２実施形態について、図９〜図１５を参照して説明する。図９は本実施形態に係る管楽器アダプター２の斜視図であり、図１０は管楽器アダプター２の正面図であり、図１１は図１０のＹ部分の拡大斜視図であり、図１２は図１０のＸＩＩ−ＸＩＩ断面図である。また、図１３は、管楽器アダプター２を図１２に示すＸＩＩＩ−ＸＩＩＩ断面（図１０の紙面に平行かつ後述する突出部２２ａを通る断面）で切った断面図である。
【００３６】
図９〜図１３に示すように、本実施形態の管楽器アダプター２は、金属製の一定幅（例えば５ｍｍ）かつ一定厚さ（例えば０．３ｍｍ）の帯形状の板を、円弧状に曲げた形状となっている。管楽器アダプター２の各部の板面は、当該円弧の中心方向を向いている。管楽器アダプター２の材質は、例えば、銀であってもよいし、銅とニッケルを含む合金（例えば洋銀）でもよい。
【００３７】
また、管楽器アダプター２の長手方向の両端部２４、２５は、互いに近接して対向している。この管楽器アダプター２は、後述するように、管楽器（具体的には、サクソフォーン、トランペット、ホルン、フルート等）内に装着され、管楽器内の空気流路（演奏者によって吹き込まれた空気の流路）を囲むように配置されることで、管楽器の音質を向上させる。
【００３８】
そのための構造として、管楽器アダプター２の内周面（板面のうち、上記円弧の中心方向を向いている面）には、９個の点形状の突出部２２ａ〜２２ｉが、等間隔で形成されている。これら突出部２２ａ〜２２ｉは、例えば、図１２、図１３に例示すように、管楽器アダプター２の外周面を窪ませて、その窪んだ部分の裏面側（すなわち内周面側）を突出させることで、形成可能である。内周面におけるこれら突出部２２ａ〜２２ｉの各々の周縁（突出部と突出部でない部分との境界線）は、環状に閉じた形状となっている。
【００３９】
更に、管楽器アダプター２の内周面の全域に渡って、多数本の調音溝２３（図１１、図１３参照）が形成されている。例えば、ヤスリを用いて管楽器アダプター２の内周面を削ることで、各調音溝２３を形成する。これら調音溝２３が伸びる方向は、図１１に示すように、管楽器アダプター２の板面に平行かつ管楽器アダプター２の幅方向（図１０の紙面奥行き方向）に平行な方向である。
【００４０】
各調音溝２３は、突出部２２ａ〜２２ｉと比べて、高さ（深さ）も、幅も、遙かに小さい。例えば、各突出部２２ａ〜２２ｉの高さおよび幅がそれぞれ１ｍｍであり、各調音溝２３の深さおよび幅が０．１ｍｍ以下である。この例では、各調音溝２３の深さも幅も、各突出部２２ａ〜２２ｉの１／１０以下となるが、１／５以下であってもよいし、１／２０以下であってもよいし、１／１００以下であってもよい。
【００４１】
また、調音溝２３の本数は、突出部２２ａ〜２２ｉの個数よりも遙かに多く、例えば、５倍以上であってもよいし、１０倍以上であってもよいし、２０倍以上であってもよいし、１００倍以上であってもよい。また、これら調音溝２３は、突出部２２ａ〜２２ｉの各々にも形成され、突出部２２ａ〜２２ｉ以外の内面にも形成される。しかし、他の例として、突出部２２ａ〜２２ｉの各々には形成されず、突出部２２ａ〜２２ｉ以外の内面全体にのみ形成されるようになっていてもよい。あるいは逆に、調音溝２３は、突出部２２ａ〜２２ｉの各々には形成れ、突出部２２ａ〜２２ｉ以外の内面全体には形成されないようになっていてもよい。
【００４２】
次に、この管楽器アダプター２をサクソフォーンに装着する方法について、図１４を参照して説明する。図１４に示すように、サクソフォーンの吹込管（ネック）７のうち、マウスピース（図示せず）に挿入されるマウスピース側端部７１内に空けられた穴（空気流路の穴）に、管楽器アダプター２を挿入する。そしてその後、マウスピース側端部７１をマウスピースに挿入する。吹込管７は、マウスピースと二番管（図示せず。ボディともいう）との間に介在する周知の部材であり、管楽器アダプター２が挿入される穴は、空気流路である。
【００４３】
なお、管楽器アダプター２の径Ｒ３（図９参照）は、マウスピース側端部７１内の穴の穴径よりも少し大きく作られている。そこで、管楽器アダプター２をマウスピース側端部７１に挿入する際には、作業者は、両端部２４、２５の間隙を狭くするよう、管楽器アダプター２を変形させる。したがって、管楽器アダプター２がマウスピース側端部７１内に装着された状態においては、両端部２４、２５間の間隙が無くなるかまたは狭くなる。したがって、管楽器アダプター２が元の形状に戻ろうとする復元力により、管楽器アダプター２の外周面がマウスピース側端部７１の内壁面を押圧する状態となる。この押圧力により吹込管７内で管楽器アダプター２が固定されるので、このサクソフォーンの演奏時に、吹込管７内で管楽器アダプター２の位置が小刻みに変動して音質が不安定になってしまう可能性が低減される。なお、マウスピース側端部７１の穴の断面は円形であるので、管楽器アダプター２は、マウスピース側端部７１の穴の内壁に密着する。したがって、演奏時に、マウスピース側端部７１の穴の内壁と、管楽器アダプター２との間に隙間は発生せず、したがって、両者の間を空気が通ることはない。
【００４４】
次に、チューニング管（抜差管）を有する管楽器（例えば、トランペット、ホルン）に管楽器アダプター２を装着する方法について、図１５を参照して説明する。図１５に示すように、チューニング管８の一端に空けられた穴（空気流路）に、管楽器アダプター２を挿入する。そしてその後、チューニング管８を管楽器に挿入する。
【００４５】
なお、管楽器アダプター２の径Ｒ３（図９参照）とチューニング管８の上記一端の穴の穴径との関係は、上述の径Ｒ３とマウスピース側端部７１内の穴の穴径との関係と同じである。したがって、管楽器アダプター２の復元力によってチューニング管８内で管楽器アダプター２が固定される。したがって、この管楽器の演奏時に、チューニング管８内で管楽器アダプター２の位置が小刻みに変動して音質が不安定になってしまう可能性が低減される。なお、チューニング管８の穴の断面は円形であるので、管楽器アダプター２は、チューニング管８の穴の内壁に密着する。したがって、演奏時に、チューニング管８の穴の内壁と、管楽器アダプター２との間に隙間は発生せず、したがって、両者の間を空気が通ることはない。
【００４６】
次に、この管楽器アダプター２をフルートに装着する方法について、図１６を参照して説明する。図１６に示すように、フルートの主管９のうち、頭部管（図示せず）が挿入される接続部９１内に空けられた穴（空気流路の穴）に、管楽器アダプター２を挿入する。そしてその後、頭部管をマウスピースに挿入する。
【００４７】
なお、管楽器アダプター２の径Ｒ３（図９参照）は、接続部９１内の穴の穴径よりも少し大きく作られている。そこで、管楽器アダプター２を接続部９１内に挿入する際には、作業者は、両端部２４、２５の間隙を狭くするよう、管楽器アダプター２を変形させる。したがって、管楽器アダプター２が接続部９１内に装着された状態においては、両端部２４、２５間の間隙が無くなるかまたは狭くなる。したがって、管楽器アダプター２が元の形状に戻ろうとする復元力により、管楽器アダプター２の外周面が接続部９１の内壁面を押圧する状態となる。この押圧力により接続部９１内で管楽器アダプター２が固定されるので、このフルートの演奏時に、接続部９１内で管楽器アダプター２の位置が小刻みに変動して音質が不安定になってしまう可能性が低減される。なお、接続部９１の穴の断面は円形であるので、管楽器アダプター２は、接続部９１の穴の内壁に密着する。したがって、演奏時に、接続部９１の穴の内壁と、管楽器アダプター２との間に隙間は発生せず、したがって、両者の間を空気が通ることはない。
【００４８】
また、接続部９１内の穴の穴径は、主管９の他の部分に設けられて接続部９１内の穴に連通する穴（空気流路の穴）の穴径よりも、少し長くなっている。これは、接続部９１に挿入される頭部管の内壁と、主管９の接続部９１以外の部分の内壁との段差をなくすためである。このような構造により、接続部９１の穴と主管９の他の部分の穴の境界には、段差部分が存在する。
【００４９】
接続部９１に管楽器アダプター２が挿入され、更に頭部管が挿入された場合、管楽器アダプター２は、この段差部分と頭部管の先端部に挟まれて固定される。これにより、頭部管の内壁と接続部９１の内壁の間の段差、および、接続部９１の内壁と主管９の他の空気流路の内壁の間の段差が、管楽器アダプター２によって埋められる。したがって主管９内に乱流が発生する可能性が低下する。
【００５０】
このように、吹込管７、チューニング管８、または主管９の一端に空けられた穴（空気流路）に、管楽器アダプター２が挿入された状態では、突出部２２ａ〜２２ｉは、周囲に対して、中心線Ｃに向けて、つまり空気流路側に、突出する。また、調音溝２３の各々が伸びる方向は、空気流路中で空気が流れる方向に平行となる。
【００５１】
以下、このように管楽器アダプター２が装着された管楽器（サクソフォーン、チューニング管を有する管楽器、またはフルート）を演奏する際の作用について説明する。これら管楽器の演奏者によってマウスピースから吹き込まれた空気は、吹込管７、チューニング管８、または主管９を通る。
【００５２】
その際、管楽器アダプター２の内側を空気が通るとき、突出部２２ａ〜２２ｉによって空気が整流されるので、空気流路内で乱流の発生が抑制される。その結果、マウスピースから入った音の抜けが良くなることによって演奏者の吹き心地が向上し、さらに、管楽器の音質が向上する。また、突出部２２ａ〜２２ｉに加え、調音溝２３が多数形成されていることで、第１実施形態の調音溝１３に起因する効果と同等の効果を得ることができる。
【００５３】
また、突出部２２ａ〜２２ｉに加え、調音溝２３が多数形成されていることで、マウスピースから入った音の抜けが良くなるという効果、および、管楽器の音質が向上するという効果が、更に増す。
【００５４】
（調音溝１３、２３の効果について）
上述の通り、上記第１、第２実施形態において、調音溝を設けることで、マウスピースから入った音の抜けが良くなるという効果、および、管楽器の音質が向上するという効果が、更に増すが、そのメカニズムについてはまだ不明である。
【００５５】
しかし、本願発明者が数十人の被験者を対象として、実験を行った結果、その効果は明確に表れている。実験では、各実施形態の管楽器アダプターが装着された管楽器と、各実施形態の管楽器アダプターから調音溝を無くした管楽器アダプターが装着されたクラリネットとを、被験者に交互に演奏させ、音の抜けおよび音質について判断させた。
【００５６】
その結果、フルート等の木管楽器を用いて実験した場合では、被験者のうちアマチュア奏者のほぼ１００％が、音の抜けおよび音質が格段に向上したと判断した。ただし、被験者のうちプロ奏者の多くは、音の抜けおよび音質があまり向上しなかったと判断した。この実験結果によれば、木管楽器を演奏する場合、調音溝は、アマチュア奏者の吹奏技術（空気を吹き込む技術）をアシストする効果があると言える。
【００５７】
これに対し、ホルン、トランペット等の金管楽器を用いて実験した場合では、被験者のうちアマチュア奏者もプロ奏者も、その９０％以上が、音の抜けおよび音質が大きく向上したと判断した。特に、プロ奏者の多くは、調音溝が付いたことで、当たる（音の芯を捉えることができる）ようになったと評価している。この実験結果によれば、金管楽器を演奏する場合、調音溝は、アマチュア奏者のみならずプロ奏者の吹奏技術（音の当たりを出す技術）をもアシストする効果があると言える。
【００５８】
（他の実施形態）
なお、本考案は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。例えば、以下のような変形例も許容される。
【００５９】
（変形例１）
第１〜第３実施形態において、管楽器アダプター１〜３は、円環の一部が切り欠かれた円弧形状となっているが、両端部が繋がった円環形状となっていてもよい。
【００６０】
（変形例２）
また、第１〜第３実施形態において、突出部１２ａ〜１２ｌ、２２ａ〜２２ｉ、３２ａ〜３２ｘのすべてに調音溝３１〜３３が形成されている。しかし、突出部１２ａ〜１２ｌ、２２ａ〜２２ｉ、突出部３２ａ〜３２ｘの一部にのみ調音溝３１〜３３が形成されていても、風切り音を防止する効果が得られる。また、上記第１〜第３実施形態では、個々の突出部に着目すると、１つの突出部の全域に等間隔に調音溝が形成されているが、１つの突出部の一部分のみに調音溝が形成されていてもよい。
【００６１】
（変形例３）
上記第１実施形態の管楽器アダプター１の装着対象は、クラリネットに限らず、他の管楽器（ただし、空気流路の内壁が木製となっている管楽器）であってもよい。また、上記第２、第３実施形態の管楽器アダプター２、３の装着対象は、チューニング管を備えた管楽器やサクソフォーンに限らない。
【００６２】
なお、空気流路を囲む壁面が木製の管楽器（例えばクラリネット）に対しては、合成樹脂製または木製の管楽器アダプターを用いることが好ましい。また、空気流路を囲む壁面が金属製の管楽器（例えば、フルート、サクソフォーン、トランペット、ホルン）に対しては、金属製（例えば、銀製、銅とニッケルを含む合金製）の管楽器アダプターを用いることが好ましい。
【００６３】
（変形例４）
また、上記第１実施形態では、バレル５の上管挿入穴５３に管楽器アダプター１を装着するようになっているが、それに代えて、マウスピース挿入穴５２に管楽器アダプター１を装着するようになっていてもよい。
【００６４】
この場合、管楽器アダプター１は段差部５４に当接する。また、上管挿入穴５３側からバレル５を見た場合、貫通穴５１の向こう側に突出部１２ａ〜１２ｌの各々の一部が見える。つまり、管楽器アダプター１の突出部１２ａ〜１２ｌは、バレル５の内壁に対しても、マウスピースの内壁（図示せず）に対しても、中心線Ｃに向けて突出する。
【００６５】
また、バレル５のマウスピース挿入穴５２と上管挿入穴５３の両方に同時に管楽器アダプター１を装着してもよい。
【００６６】
（変形例５）
また、突出部１２ａ〜１２ｌ、２２ａ〜２２ｉ、３２ａ〜３２ｘの個数は、上記第１〜第３実施形態で示した個数に限るものではなく、もっと多数あってもよいし、あるいは、１個だけであってもよいし、２個だけであってもよい。
【符号の説明】
【００６７】
１、２                                              管楽器アダプター
１ａ、２ａ                                          本体
５                                                  バレル
６                                                  上管
７                                                  吹込管
８                                                  チューニング管
９                                                  フルートの主管
１２ａ〜１２ｌ、２２ａ〜２２ｉ                      突出部
１３、２３                                          調音溝
１４、１５、２４、２５                              端部
【図１】
0003188272.tif 000003
【図２】
0003188272.tif 000004
【図３】
0003188272.tif 000005
【図４】
0003188272.tif 000006
【図５】
0003188272.tif 000007
【図６】
0003188272.tif 000008
【図７】
0003188272.tif 000009
【図８】
0003188272.tif 000010
【図９】
0003188272.tif 000011
【図１０】
0003188272.tif 000012
【図１１】
0003188272.tif 000013
【図１２】
0003188272.tif 000014
【図１３】
0003188272.tif 000015
【図１４】
0003188272.tif 000016
【図１５】
0003188272.tif 000017
【図１６】
0003188272.tif 000018
【手続補正書】
【提出日】平成25年10月31日(2013.10.31)
【手続補正１】
【補正対象書類名】実用新案登録請求の範囲
【補正対象項目名】請求項４
【補正方法】変更
【補正の内容】
【請求項４】
前記調音溝（１３、２３）の深さは、前記突出部の高さよりも小さいことを特徴とする請求項２または３に記載の管楽器アダプター。